(57)【要約】【課題】創電部に太陽電池を用い、明るさによる省エネの状態遷移を行う際に、装置が設置されている環境の明るさによる省エネの状態遷移の誤検出を減少させることで、より無駄な消費電力を抑える。【解決手段】周囲の照度を異なる位置で検出する照度センサ１１５，太陽電池１０５と、照度センサ１１５，太陽電池１０５から出力される各電圧を調整する電圧調整回路１１６，１１７と、この回路から出力される電圧を加算する加算回路１１８と、加算された電圧値と閾値とを比較し、照度センサ１１５，太陽電池１０５の出力状態を判断する出力状態判断部１２５と、この判断結果から省エネルギー制御への移行および復帰を制御する省エネルギー化制御部１２６と、照度センサ１１５，太陽電池１０５の出力状態が異常であると判断された方を故障であるとして報知する報知制御部１２７と、を備える。【選択図】図３
2013224016.tif 000002
【特許請求の範囲】
【請求項１】
制御装置であって、
前記制御装置の周囲の照度を検出する第１照度検出部と、
前記第１照度検出部とは異なる位置に配置され、前記制御装置の周囲の照度を検出する第２照度検出部と、
前記第１照度検出部から出力される電圧および前記第２照度検出部から出力される電圧を加算する電圧加算部と、
前記電圧加算部により加算された電圧値とあらかじめ定めた閾値とを比較し、当該比較結果に基づいて前記第１照度検出部および前記第２照度検出部の出力状態を判断する出力状態判断部と、
前記第１照度検出部から出力される電圧および前記第２照度検出部から出力される電圧に基づいて、通常制御モードより消費電力の少ない省エネルギー制御モードへの移行および前記通常制御モードへの復帰を制御する省エネルギー化制御部と、
前記第１照度検出部または前記第２照度検出部のうち前記出力状態判断部により出力状態が異常であると判断された方を故障であるとして報知する制御を行う報知制御部と、
を備えることを特徴とする制御装置。
【請求項２】
前記省エネルギー化制御部は、前記第１照度検出部または前記第２照度検出部のうち前記出力状態判断部により出力状態が異常であると判断された方から出力される電圧を除外して、省エネルギー制御モードへの移行および通常制御モードへの復帰を制御することを特徴とすることを特徴とする請求項１に記載の制御装置。
【請求項３】
さらに、画面に表示情報を出力する表示出力部を有し、
前記報知制御部は、前記第１照度検出部または前記第２照度検出部のうち出力状態が異常であると判断された方についての表示情報を前記表示出力部に出力することを特徴とする請求項１または２に記載の制御装置。
【請求項４】
さらに、ネットワークを介して接続された外部端末装置を有し、
前記報知制御部は、前記第１照度検出部または前記第２照度検出部のうち出力状態が異常であると判断された方についての情報を前記外部端末装置に出力することを特徴とする請求項１、２または３に記載の制御装置。
【請求項５】
画像形成装置であって、
前記画像形成装置の周囲の照度を検出する第１照度検出部と、
前記第１照度検出部とは異なる位置に配置され、前記画像形成装置の周囲の照度を検出する第２照度検出部と、
前記第１照度検出部から出力される電圧および前記照度検出部から出力される電圧を加算する電圧加算部と、
前記電圧加算部により加算された電圧値とあらかじめ定めた閾値とを比較し、当該比較結果に基づいて前記第１照度検出部および前記第２照度検出部の出力状態を判断する出力状態判断部と、
前記第１照度検出部から出力される電圧および前記第２照度検出部から出力される電圧に基づいて、通常制御モードより消費電力の少ない省エネルギー制御モードへの移行および前記通常制御モードへの復帰を制御する省エネルギー化制御部と、
前記第１照度検出部または前記第２照度検出部のうち前記出力状態判断部により出力状態が異常であると判断された方を故障であるとして報知する制御を行う報知制御部と、
を備えることを特徴とする画像形成装置。
【請求項６】
前記報知制御部は、前記第１照度検出部または前記第２照度検出部のうち出力状態が異常であると判断された方についての表示情報を表示出力部に出力することを特徴とする請求項５に記載の画像形成装置。
【請求項７】
さらに、ネットワークを介して接続された外部端末装置を有し、
前記報知制御部は、前記第１照度検出部または前記第２照度検出部のうち出力状態が異常であると判断された方についての情報を前記外部端末装置に出力することを特徴とする請求項５または６に記載の画像形成装置。
【請求項８】
制御装置で実行される制御方法であって、
前記制御装置の周囲の照度を検出する第１照度検出部と、前記第１照度検出部とは異なる位置に配置され、前記制御装置の周囲の照度を検出する第２照度検出部と、前記第１照度検出部から出力される電圧および前記第２照度検出部から出力される電圧を加算する電圧加算部と、を有する制御回路で実行させる制御方法であって、
前記電圧加算部により加算された電圧値とあらかじめ定めた閾値とを比較し、当該比較結果に基づいて前記第１照度検出部および前記第２照度検出部の出力状態を判断する出力状態判断工程と、
前記第１照度検出部から出力される電圧および前記第２照度検出部から出力される電圧に基づいて、通常制御モードより消費電力の少ない省エネルギー制御モードへの移行および前記通常制御モードへの復帰を制御する省エネルギー化制御工程と、
前記第１照度検出部または前記第２照度検出部のうち前記出力状態判断工程により出力状態が異常であると判断された方を故障であるとして報知する制御を行う報知制御工程と、
を含むことを特徴とする制御方法。
【請求項９】
コンピュータに実行させるためのプログラムであって、
前記コンピュータの周囲の照度を検出する第１照度検出部と、前記第１照度検出部とは異なる位置に配置され、前記コンピュータの周囲の照度を検出する第２照度検出部と、前記第１照度検出部から出力される電圧および前記第２照度検出部から出力される電圧を加算する電圧加算部と、を有する前記コンピュータで実行させるプログラムであって、
前記電圧加算部により加算された電圧値とあらかじめ定めた閾値とを比較し、当該比較結果に基づいて前記第１照度検出部および前記第２照度検出部の出力状態を判断する出力状態判断ステップと、
前記第１照度検出部から出力される電圧および前記第２照度検出部から出力される電圧に基づいて、通常制御モードより消費電力の少ない省エネルギー制御モードへの移行および前記通常制御モードへの復帰を制御する省エネルギー化制御ステップと、
前記第１照度検出部または前記第２照度検出部のうち出力状態が異常であると判断された方を故障であるとして報知する制御を行う報知制御ステップと、
を前記コンピュータに実行させるためのプログラム。
【発明の詳細な説明】
【技術分野】
【０００１】
本発明は、制御装置、画像形成装置、制御方法およびプログラムに関する。
【背景技術】
【０００２】
従来、スキャナ、プロッタ、ファクシミリ装置を内蔵した画像形成装置において、環境問題に配慮し、省エネルギーに対応した装置が考えられている。その中で、太陽電池等の創エネデバイスによる創電と二次電池への蓄積で省エネ時の電力を賄うことにより、省エネルギー時の消費電力を下げる技術が既に知られている。
【０００３】
また、環境に対する配慮から省エネルギー化をより進める傾向が顕著になってきており、テレビやノートＰＣ、携帯電話等では照度センサで周辺の明るさを検知し画面の輝度を調整することで、消費電力を低減する機能などが搭載されている。また、複写機やプリンタでも照度センサで周辺の明るさを検知し、暗くなったら機器を自動的に、動作機能を限定した省エネモードに移行して、消費電力を抑える技術も既に知られている。
【０００４】
このような照度センサは、明るさに対して出力する電圧が変わり、その電圧をアナログデジタル変換して、ソフトウェアによって観測することで閾値に到達したとき、画面の輝度を調節する機能や省エネモードに移行する技術も既に知られている。
【０００５】
ＭＦＰ（多機能複写機）の照度センサの取り付け位置としては、操作部に配置する場合がある。この理由としては、圧版や機器上部に照度センサを配置すると、照度センサの上に紙等を置かれてしまい照度センサに入射される窓などが遮られてしまう恐れがあることや、照度センサは省エネ状態でも電力を供給しておく必要があるため、省エネ中であっても省エネ復帰要因の検知のための電力供給されている箇所が多い操作部に配置することが設計上好ましいといった点がある。
【０００６】
たとえば、車輌に搭載された太陽電池の故障検知機能の誤った動作を減少させる目的で、車輌に搭載された光センサの出力と太陽電池の出力を対比して、車輌走行時に太陽電池出力の故障検出をする構成が開示されている（たとえば、特許文献１参照）。
【発明の概要】
【発明が解決しようとする課題】
【０００７】
しかしながら、上記に示されるような従来の技術にあっては、操作部上に照度センサを取り付けても、ユーザの手による遮光や画面を覗き込むような人の動作により電圧が閾値を下回り誤検知をしてしまう点や、センサ素子自体が故障する恐れがあった。すなわち、操作部の照度センサのみでは明るさに関する環境変化の検知には限界があり、誤検知による最適な省エネ状態の状態遷移ができなくなり、無駄に消費電力が増加するという問題点があった。
【０００８】
また、特許文献１に開示されている技術にあっては、太陽電池の出力、光センサの出力を用いて、太陽電池の故障検出を行うものの、照度センサの故障や外部要因による出力電圧の誤検知が生じるという問題点があった。
【０００９】
本発明は、上記に鑑みてなされたものであって、より無駄な消費電力を抑えることを目的とする。
【課題を解決するための手段】
【００１０】
上述した課題を解決し、目的を達成するために、本発明は、制御装置であって、前記制御装置の周囲の照度を検出する第１照度検出部と、前記第１照度検出部とは異なる位置に配置され、前記制御装置の周囲の照度を検出する第２照度検出部と、前記第１照度検出部から出力される電圧および前記第２照度検出部から出力される電圧を加算する電圧加算部と、前記電圧加算部により加算された電圧値とあらかじめ定めた閾値とを比較し、当該比較結果に基づいて前記第１照度検出部および前記第２照度検出部の出力状態を判断する出力状態判断部と、前記第１照度検出部から出力される電圧および前記第２照度検出部から出力される電圧に基づいて、通常制御モードより消費電力の少ない省エネルギー制御モードへの移行および前記通常制御モードへの復帰を制御する省エネルギー化制御部と、前記第１照度検出部または前記第２照度検出部のうち前記出力状態判断部により出力状態が異常であると判断された方を故障であるとして報知する制御を行う報知制御部と、を備えることを特徴とする。
【発明の効果】
【００１１】
本発明は、より消費電力の低減を図ることができるという効果を奏する。
【図面の簡単な説明】
【００１２】
【図１】図１は、実施の形態にかかる画像形成装置の全体構成例を示すブロック図である。
【図２】図２は、操作部のパネル構成例を示す説明図である。
【図３】図３は、画像形成装置の機能構成例を示すブロック図である。
【図４】図４は、図３に対応したそれぞれの照度−電圧の関係を示すグラフである。
【図５】図５は、操作部を用いて照度センサと太陽電池の不良箇所を判断し、通知する動作例を示すフローチャートである。
【発明を実施するための形態】
【００１３】
以下に添付図面を参照して、この発明にかかる制御装置、画像形成装置、制御方法およびプログラムの一実施の形態を詳細に説明する。
【００１４】
（実施の形態）
本発明は、照度センサによる省エネルギー制御モードへの移行の処理に際して、創電部の太陽電池を取り付けたときに、太陽電池を２つ目の照度センサとする。これにより、異なる位置に照度センサが２つの構成とすることで、照度センサと太陽電池のうち一方の出力が外部要因・故障で出力低下しても他方の出力状態によって誤検知であることが分かることが特徴になっている。以下、具体例をあげて説明する。
【００１５】
図１は、実施の形態にかかる画像形成装置の全体構成例を示すブロック図である。画像形成装置１００は、大きくは、操作部１１０、エンジン部１３０、コントローラ部１４０を備える。
【００１６】
さらに、画像形成装置１００は、ＰＳＵ（Ｐｏｗｅｒ  Ｓｕｐｐｌｙ  Ｕｎｉｔ）１０１、蓄電部１０２、電源制御部１０３、創電部１０４を備える。創電部１０４は、第２照度検出部としての太陽電池１０５、電圧測定部１０６を備える。
【００１７】
操作部１１０は、表示出力手段としての機能を有し、画像形成装置１００のユーザＩ／Ｆ（インターフェイス）を担うブロックである。操作部１１０は、ＬＣＤ（Ｌｉｑｕｉｄ  Ｃｒｙｓｔａｌ  Ｄｉｓｐｌａｙ）１１１、操作部１１０の全体制御を行う操作制御部１１２、操作部ＲＯＭ（Ｒｅａｄ  Ｏｎｌｙ  Ｍｅｍｏｒｙ）１１４、操作部ＲＡＭ（Ｒａｍｄｏｍ  Ａｃｃｅｓｓ  Ｍｅｍｏｒｙ）１１３、第１照度検出部としての照度センサ１１５、第１電圧調整部としての電圧調整回路１１６、第２電圧調整部としての電圧調整回路１１７、加算回路１１８、Ａ／Ｄコンバータ１１９を有する。また、操作部１１０は、後述するＣＰＵ（Ｃｅｎｔｒａｌ  Ｐｒｏｃｅｓｓｉｎｇ  Ｕｎｉｔ）１２０、ＲＡＭ１２１、ＲＯＭ１２２、を有する。また、操作部１１０は、ＲＴＣ１２３、ハードキー１２４を有する。
【００１８】
ＬＣＤ１１１は、操作制御部１１２にて描写された画像の画面表示を行なう。操作部ＲＯＭ１１４は、操作制御部１１２の制御プログラムが保存されており、たとえば省エネルギー制御モードから復帰する際にそのつど操作部ＲＡＭ１１３に制御プログラムを展開する。操作部ＲＡＭ１１３は操作制御部１１２のワークメモリとして用いられる。なお、本例ではＣＰＵ１２０と操作制御部１１２を分けているがこれに限らず、両機能を１つの制御部にまとめた形態であってもよい。
【００１９】
なお、省エネルギー制御モードとは、所定部分（表示部や定着部など）のユニットなどに対して電源の供給を停止または供給電圧を低減して省電力化を図る目的で行う制御モードである。すなわち、省エネルギー制御モードは、通常制御モードより消費電力が少ない制御モードである。この省エネルギー制御モードへの移行は、ユーザによる操作や照度レベルの状態が所定時間続いた場合に行われ、省エネルギー制御モードから通常制御モードへの復帰は後述する照度レベル、ユーザの操作入力、データ通信などをトリガーとして行われる。
【００２０】
また、操作部１１０は、センサ電圧を監視するＡ／Ｄコンバータ１１９、ハードキー１２４、ＲＴＣ（リアルタイムクロック）１２３等の入力を監視するＩ／Ｏポートなどを備える。その入力情報から省エネルギー制御モードへの移行、省エネルギー制御モードからの復帰にかかわる制御やＬＥＤ（Ｌｉｇｈｔ  Ｅｍｉｔｔｉｎｇ  Ｄｉｏｄｅ）のＰＷＭ（Ｐｕｌｓｅ  Ｗｉｄｔｈ  Ｍｏｄｕｌａｔｉｏｎ：パルス幅変調）制御などを行う。
【００２１】
ＲＴＣ１２３は、時刻のカウントを行う。ハードキー１２４は、ユーザが機器の操作を行なうためのキーである。照度センサ１１５は、フォトダイオードなどを用いて装置が設置されている周囲の照度を電圧で出力する素子である。電圧調整回路１１６，１１７は、第１照度検出部としての照度センサ１１５、第２照度検出部としての太陽電池１０５で受光して得られる電圧を後述する特性に変更する回路であり、オペアンプやダイオードなどを用いて電圧の特性を調整する。加算回路１１８は、照度センサ１１５からと太陽電池１０５からの電圧調整をされた電圧を加算する回路であり、オペアンプ、抵抗などから構成される。
【００２２】
エンジン部１３０は、原稿の読み取りや印字等を行なうブロックである。スキャナ部１３１は、原稿を光学走査し、その光画像をＣＣＤ（Ｃｈａｒｇｅ  Ｃｏｕｐｌｅｄ  Ｄｅｖｉｃｅ；固体撮像素子）に集光し、その原稿をＲＧＢのデジタル画像データとして読み込み、シェーディング補正や、地肌除去、固定長符号化などの所定の画像処理を行う。プロッタ部１３２は、スキャナ部１３１やコントローラ部１４０で処理された画像データを作像プロセスにしたがって最終的に記録紙に印字する。
【００２３】
コントローラ部１４０は、画像形成装置１００全体の制御を行うブロックである。コントローラＣＰＵ１４１は、コントローラ部１４０全体の制御やホストＰＣ（Ｐｅｒｓｏｎａｌ  Ｃｏｍｐｕｔｅｒ）１５０から送信されたプリントデータの描画処理、画像形成装置１００の部品のメンテナンス情報や部品故障時のリモート通知送信等を行う。コントローラＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１４２は、スキャナ部１３１から送信された画像に対して、圧縮伸長、回転、編集等の画像処理や、コントローラＲＡＭ１４４やＨＤＤ（Ｈａｒｄ  Ｄｉｓｋ  Ｄｒｉｖｅ）１４３の制御を行う。
【００２４】
ＨＤＤ１４３は、画像データの蓄積やジャム（紙詰まりなどのエラー）用バックアップ、その他機器データの蓄積を行なう。コントローラＲＡＭ１４４は、コントローラＣＰＵ１４１、コントローラＡＳＩＣ１４２のワークメモリである。コントローラＲＯＭ１４５は、コントローラＣＰＵ１４１用の制御プログラムが保存されているＲＯＭである。省エネルギー制御モードから復帰する際に毎度、コントローラＲＯＭ１４５からコントローラＲＡＭ１４４にプログラムを展開する。
【００２５】
サブ制御部１４６は、ＵＳＢ（Ｕｎｉｖｅｒｓａｌ  Ｓｅｒｉａｌ  Ｂｕｓ）１４７やＥｔｈｅｒｎｅｔ（登録商標、ＬＡＮの一種）１４８といった機器のＩＯ制御を担う。省エネ時には、コントローラＡＳＩＣ１４２やコントローラＣＰＵ１４１の電源をＯＦＦし、サブＳｏＣでネットワーク監視を行い、Ｅｔｈｅｒｎｅｔ１４８のパケット応答などを行なう。Ｅｔｈｅｒｎｅｔ１４８は、Ｅｔｈｅｒｎｅｔ  Ｉ／Ｆ（インターフェイス）であり、ネットワークに接続されホストＰＣ１５０,リモートサービス端末１６０と接続される。
【００２６】
ＰＳＵ１０１は、ＡＣ（交流）電源からＤＣ（直流）に変換し電源制御部１０３へ電力を供給する。蓄電部１０２は、太陽電池１０５により発電された電力を蓄電または直接に電源制御部１０３に供給する。電源制御部１０３は、蓄電部１０２、ＰＳＵ１０１から供給される電力を状態により切替え、各ブロックに電力を供給する。
【００２７】
創電部１０４は、太陽電池１０５による発電を行う。なお、図１では第２照度検出部としての太陽電池１０５は、第１照度検出部としての照度センサ１１５と離れた位置に配置することが好ましく、画像形成装置１００と分離しているが、一体となっているか分離しているかはいずれの構成であってもよい。太陽電池１０５は、光エネルギーを電力に変換して発電する。電圧測定部１０６は、太陽電池１０５の電圧を測定する。太陽電池１０５は、昼間時あるいは室内照明時において太陽光／照明光の強度に応じた電力を発電し、この発電された電力が結果として、蓄電部１０２に蓄電され、さらに第２の照度センサの機能を備える。
【００２８】
ホストＰＣ１５０は、画像形成装置１００へのプリント指示やスキャン指示などを行なう。リモートサービス端末１６０は、画像形成装置１００のリモート通知を受信できる端末であり、サービスセンターなどに設置され、サービスマンが画像形成装置１００の故障箇所やユニット、部品を把握することが可能な端末である。
【００２９】
図２は、操作部１１０のパネル構成例を示す説明図である。ＬＣＤ１１１は、前述したように操作画面の表示を行なうものであり、タッチパネルによるソフトキー操作も可能な構成となっている。ハードキー１２４は、ユーザが機器の操作を行なうためのハードキーであり、テンキー、スタートボタン１２８、クリアストップキー、各種の機能ボタンなどが含まれる。主電源ＬＥＤ１２９は、機器の動作状態をユーザに通知するためのＬＥＤである。照度センサ１１５は、前述したように明るさの検知を行うセンサであり、フォトダイオードなどが用いられる。照度センサ１１５は常時明るさの監視を行なうため、常時給電されている必要がある。そのため、省エネルギー制御モード中であってもキー入力の監視やＬＥＤ表示等で電源が供給されている操作部１１０に照度センサ１１５を配置すると設計上都合がよい場合が多い。また、画像形成装置１００の上部に照度センサ１１５を配置した場合、ユーザが印刷対象の原稿等を機器上部に置いてしまい、照度センサ１１５が遮られる恐れもあるため、照度センサ１１５は操作部１１０付近に配置することが望ましい。
【００３０】
図３は、画像形成装置１００の機能構成例を示すブロック図である。上述したＣＰＵ１２０は、出力状態判断部１２５、省エネルギー化制御部１２６、報知制御部１２７の各機能を有する。なお、出力状態判断部１２５、省エネルギー化制御部１２６、および、報知制御部１２７の一部または全部をＣＰＵ１２０以外のハードウェア回路により実現してもよい。
【００３１】
出力状態判断部１２５は、照度センサ１１５と太陽電池１０５の各出力電圧値とあらかじめ定めた閾値とを比較し、当該比較結果に基づいて照度センサ１１５と太陽電池１０５の出力状態、すなわち照度センサ１１５と太陽電池１０５の出力電圧値からセンサ故障の有無を判断する。省エネルギー化制御部１２６は、照度センサ１１５と太陽電池１０５の出力電圧値に応じて、操作部１１０、画像形成装置１００のあらかじめ決められた電力供給を低減する省エネルギー制御モード、および通常の電力を供給して所定の動作を行う通常モード（省エネルギー制御モードからの復帰）の制御を行う。報知制御部１２７は、出力状態判断部１２５によりセンサ故障があると判断された場合に、操作部１１０のＬＣＤ１１１に故障である旨のメッセージを表示したり、ＬＡＮを介して接続されているリモートサービス端末１６０に照度センサ１１５、太陽電池１０５が故障である旨を知らせるなどの制御を実行する。以下、照度センサ１１５と太陽電池１０５の故障判断例について詳述する。
【００３２】
ここでは、例として、Ａ／Ｄコンバータ１１９の入力電圧範囲が０〜５［Ｖ］、省エネルギー制御モード状態の遷移・復帰する照度の閾値を５０［ｌｘ］とした場合について説明する。また、下記Ｖａ，Ｖｂ，Ｖｉの特性も一例である。
【００３３】
図３より照度センサ１１５から第１電圧調整部としての電圧調整回路１１６を通って加算回路１１８に入力される電圧をセンサ側電圧Ｖａ、電圧測定部１０６から第２電圧調整部としての電圧調整回路１１７を通って加算回路１１８に入力される電圧を太陽電池１０５側の電圧Ｖｂ、加算回路１１８からＡ／Ｄコンバータ１１９に入力される電圧をＶｉ（Ｖｉ＝Ｖａ＋Ｖｂ）とする。
【００３４】
図４は、図３に対応したそれぞれの照度−電圧の関係を示すグラフである。電圧調整回路１１６，１１７にて照度センサ１１５からの電圧Ｖａ、太陽電池１０５からの電圧Ｖｂが共に同じ特性が出るように調整を行う。具体的な特性は、例えば以下の（１）、（２）の２つである。なお、同じ特性とは、厳密に一致する必要はなく、例えば、誤差が所定の許容値以内であれば同じ特性とみなしてもよい。
（１）閾値である照度５０［ｌｘ］を境に０［Ｖ］⇒１．３［Ｖ］と急峻な立ち上がりをする。
（２）素子の最大電圧は、本例ではＡ／Ｄコンバータ１１９の入力電圧範囲０〜５［Ｖ］の半分の２．５［Ｖ］である。  
【００３５】
ＶｉはＶｉ＝Ｖａ＋Ｖｂであるため、照度５０［ｌｘ］で２．６［Ｖ］に上昇し、ＭＡＸ５Ｖまで線形に照度に対応して電圧が上昇する。このような特性を電圧調整回路１１６，１１７で調整することで、図４に示すように［ｉ］，［ｉｉ］，［ｉｉｉ］の３種類の状態に分けることができる。
【００３６】
［ｉ］：２．６≦Ｖｉ＜５．０［Ｖ］のとき、電圧の入力があるため照度は閾値（本例では５０ｌｘ）を下回っていない。
［ｉｉ］：０．０＜Ｖｉ＜２．６［Ｖ］のとき、電圧の入力があるため照度は閾値（本例では５０ｌｘ）を下回っていない。しかし、照度センサ１１５からの電圧Ｖａまたは太陽電池１０５からの電圧Ｖｂどちらか一方が正常な状態ではない。
［ｉｉｉ］：０．０［Ｖ］のとき、電圧が０．０［Ｖ］のため照度は閾値（本例では５０ｌｘ）を下回っている。
【００３７】
［ｉ］，［ｉｉ］のときは照度が閾値を上回っていて、［ｉｉｉ］のときは照度が閾値を下回っているので［ｉｉｉ］のときに省エネルギー制御モードに移行をすれば、１つのセンサ（照度センサ１１５）使用時より精度が高い制御が可能となる。また、［ｉｉ］の場合は照度センサ１１５、太陽電池１０５どちらか一方のセンサ感度の低下、故障が原因となり電圧が、照度センサ１１５と太陽電池１０５のうち一方とは異なるためＶｉの電圧が［ｉｉ］の領域になる。このとき、報知制御部１２７は、操作部１１０のＬＣＤ１１１にその旨を表示するなどしてユーザに照度センサ１１５あるいは太陽電池１０５が故障である、というように不良箇所を知らせる。
【００３８】
図５は、操作部１１０を用いて照度センサ１１５と太陽電池１０５の不良箇所を判断し、通知する動作例を示すフローチャートである。本動作は、照度センサ１１５の電圧値Ｖａと太陽電池１０５の電圧値Ｖｂの加算値であるＶｉが上記［ｉｉ］の領域時に開始する。操作制御部１１２は、ＬＣＤ１１１に、照度センサ１１５、太陽電池１０５が遮光されていないかの注意を促す表示を行う（ステップＳ１０１）。たとえば、ＬＣＤ１１１に、「照度センサ、又は太陽電池が遮光されていませんか。遮光されていない場合はスタートボタンを押下してください。」といったユーザ操作を促す表示を出力する。このとき、照度センサ１１５が遮光されていれば遮光物を退かすことで、電圧が上昇するため終了となる。ステップＳ１０１において遮光されていない場合は、ユーザに操作部１１０のスタートボタン１２８（図２参照）を押下してもらう。
【００３９】
続いて、操作制御部１１２は、スタートボタン１２８が押下されたか否かを判断する（ステップＳ１０２）。スタートボタン１２８が押下された場合（ステップＳ１０２、ＹＥＳ）、操作制御部１１２は、ＬＣＤ１１１に照度センサ１１５を遮光してスタートボタン１２８を押すようコメントを表示する（ステップＳ１０３）。このコメントとしてたとえば「照度センサを遮光してスタートボタンを押下してください。」といったユーザ操作を促す表示を出力する。操作制御部１１２は、照度センサ１１５の遮光状態でのスタートボタン１２８の押下を受付ける（ステップＳ１０４）。一方、ステップＳ１０２においてスタートボタン１２８が押下されていない場合（ステップＳ１０２：ＮＯ）、出力状態判断部１２５は、上述した［ｉ］の領域まで電圧が上昇したかを判断する（ステップＳ１０８）。上昇していない場合（ステップＳ１０８：ＮＯ）、ステップＳ１０１に戻り処理が繰り返される。上昇した場合（ステップＳ１０８：ＹＥＳ）、本動作を終了する。
【００４０】
続いて、出力状態判断部１２５は、照度センサ１１５を遮光して、スタートボタン１２８を押下したときＶｉの電圧が０［Ｖ］であるか否かを判断し（ステップＳ１０５）、Ｖｉの電圧で分岐する。出力状態判断部１２５による判断においてＶｉの電圧が０［Ｖ］であれば（ステップＳ１０５、ＹＥＳ）、報知制御部１２７は、太陽電池１０５に故障があるため、太陽電池１０５が故障していることをＬＣＤ１１１に、たとえば「太陽電池が故障しています」といった表示を行うように制御する（ステップＳ１０６）。続いて、省エネルギー化制御部１２６は、Ａ／Ｄコンバータ１１９の電圧を用いた省エネルギー制御モードを停止する（ステップＳ１０７）。一方、出力状態判断部１２５による判断においてＶｉの電圧が０［Ｖ］でなければ（ステップＳ１０５、ＮＯ）、太陽電池１０５が正常であることから、照度センサ１１５の故障と分かり、報知制御部１２７は、ＬＣＤ１１１に照度センサ１１５が故障していることを、たとえば「照度センサが故障しています」という表示の制御を行う（ステップＳ１０９）。
【００４１】
このように、故障したと判断し、報知したセンサ（照度センサ１１５、太陽電池１０５）について修理が行われるまでの間は、画像形成装置１００の設置場所の周囲の明るさを判断する素子が１つとなってしまい、誤検知を行う可能性が増えるため、明るさによる省エネ移行・復帰制御の機能を停止させ、誤検知を行わせないようにする。省エネルギー化制御部１２６が、複数のセンサ（照度センサ１１５、太陽電池１０５）のうち、故障したと判断されたセンサの出力電圧値を除外して、省エネ移行・復帰制御を行うように構成してもよい。また、上記図５の処理により、故障している不良箇所が分かる。また、この故障した箇所をリモートサービス端末１６０にリモート通知を発信することで、通知を受けたサービスマンが画像形成装置１００の交換部品を手配し、交換部品を用意してユーザ先に修理訪問することで、早急な対応を行うことができる。
【００４２】
このように、本実施の形態によれば、創エネの太陽電池を取り付けたときに、太陽電池を２つ目の照度センサの機能（第２照度検出部）とすることで、異なる位置に照度を検出する照度検出部が２つの構成となる。これにより一方の出力が外部要因・故障で出力低下しても他方の出力により誤検知であることが分かる。従って、省エネルギー制御モードの状態遷移の誤検知による誤った状態遷移が減少し、より消費電力の低減を図ることができる。
【００４３】
ところで、本実施の形態で実行されるプログラムは、ＲＯＭ１２２に予め組み込まれて提供するものとしているが、これに限定されるものではない。本実施の形態で実行されるプログラムを、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供してもよい。
【００４４】
また、本実施の形態で実行されるプログラムを、インターネット等のネットワークに接続されたコンピュータ上に格納し、ネットワーク経由でダウンロードさせることにより提供するように構成してもよい。また、本実施の形態で実行されるプログラムをインターネット等のネットワーク経由で提供または配布するように構成してもよい。
【００４５】
本実施の形態で実行されるプログラムは、上述した出力状態判断部１２５、省エネルギー化制御部１２６、報知制御部１２７を含むモジュール構成となっており、実際のハードウェアとしてはＣＰＵ１２０（プロセッサ）が上記記録媒体からプログラムを読み出して実行することにより上記各部がＲＡＭ１２１等の主記憶装置上にロードされ、出力状態判断部１２５、省エネルギー化制御部１２６、報知制御部１２７が主記憶装置上に生成されるようになっている。
【符号の説明】
【００４６】
１００  画像形成装置
１０４  創電部
１０５  太陽電池
１１０  操作部
１１５  照度センサ
１１６，１１７  電圧調整回路
１１８  加算回路
１２０  ＣＰＵ
１２１  ＲＡＭ
１２２  ＲＯＭ
１２５  出力状態判断部
１２６  省エネルギー化制御部
１２７  報知制御部
１６０  リモートサービス端末
【先行技術文献】
【特許文献】
【００４７】
【特許文献１】特許第４６３５６８４号公報
【図１】
2013224016.tif 000003
【図２】
2013224016.tif 000004
【図３】
2013224016.tif 000005
【図４】
2013224016.tif 000006
【図５】
2013224016.tif 000007